(57)【特許請求の範囲】
【請求項１】
複数の掘削孔（１）を掘削してそれらの掘削孔（１）にグラウト材注入パイプ（２）を挿入し、そのグラウト材注入パイプ（２）に設けたノズル（Ｎ）からグラウト材注入パイプ（２）の直角方向にグラウト材を噴射させながら、そのグラウト材注入パイプ（２）を引き上げて壁体を構築する地中壁の構築方法において、前記ノズル（Ｎ）は隣接する掘削孔（１）の中心線を含む面に対して傾斜角（θ）で傾斜しており、その傾斜角（θ）をグラウト材注入パイプ（２）に設けたセンサ（４）で検知し、そのセンサ（４）の信号で隣接する掘削孔（１）のグラウト材注入パイプ（２）から噴射したジェット流（Ｊ）が必ず交差するように傾斜角（θ）を調節することを特徴とする地中壁の構築方法。
【請求項２】
前記掘削孔（２）が鉛直線に対して傾斜しており、有害物質を含有する土壌を囲んでいることを特徴とする請求項１記載の地中壁の構築方法。
【請求項３】
複数の掘削孔（１）を掘削してそれらの掘削孔（１）にグラウト材注入パイプ（２）を挿入し、そのグラウト材注入パイプ（２）に設けたノズル（Ｎ）からグラウト材注入パイプ（２）の直角方向にグラウト材を噴射させながら、そのグラウト材注入パイプ（２）を引き上げて壁体を構築する地中壁の構築装置において、前記ノズル（Ｎ）は隣接する掘削孔（１）の中心線を含む面に対して傾斜角（θ）で傾斜して設置され、そのグラウト材注入パイプ（２）は鉛直線に対して傾斜した掘削孔（１）に挿入され、そのグラウト材注入パイプ（２）の下部には前記傾斜角（θ）を検知するノズル（Ｎ）の方向センサ（５）と、前記鉛直線に対する傾斜を検知する傾きセンサ（４）とが設けられ、さらにそれらの各センサ（４、５）に電力を供給するバッテリ（３）と、それらの各センサ（４、５）からの信号を発信する発信器（６）とを備え、そして、地上にその発信器（６）からの信号を受信する受信器（７）を設けたことを特徴とする地中壁の構築装置。
【請求項４】
複数の掘削孔（１）を掘削してそれらの掘削孔（１）にグラウト材注入パイプ（２）を挿入し、そのグラウト材注入パイプ（２）に設けたノズル（Ｎ）からグラウト材注入パイプ（２）の直角方向にグラウト材を噴射させながら、そのグラウト材注入パイプ（２）を引き上げて壁体を構築する地中壁の構築装置において、前記グラウト材を噴射するグラウト材注入パイプ（２）が内管（２Ｂ）と外管（２Ａ）とよりなり、その外管（２Ａ）にグラウト材を噴射するノズル（Ｎ）を設け、前記ノズル（Ｎ）は隣接する掘削孔（１）の中心線を含む面に対して傾斜角（θ）で傾斜して設置され、そのグラウト材注入パイプ（２）は鉛直線に対して傾斜した掘削孔（１）に挿入され、そのグラウト材注入パイプ（２）の下部には前記傾斜角（θ）を検知するノズル（Ｎ）の方向センサ（５）と、前記鉛直線に対する傾斜を検知する傾きセンサ（４）とが設けられ、その内管（２Ｂ）には各センサ（４、５）からの信号線（９）が配線され、その信号線（９）は内管（２Ｂ）の頂部からケーブル（１０）を介して地上のコンピュータ（Ｃ）に接続されていることを特徴とする地中壁の構築装置。
【請求項５】
内管（２Ｂ）を接続するための雌部分（２Ｃ）と雄部分（２Ｄ）とを備え、そして雌部分（２Ｃ）と雄部分（２Ｄ）との係合部（１９、２０）が係合した位置に互いに接続される接続片（１４、１６）が設けられている請求項４記載の地中壁の構築装置。
【発明の詳細な説明】
【０００１】
【発明の属する技術分野】
本発明は地中に連続する壁体を作る方法および装置に関し、例えば有害物質を含有した土壌の周囲を囲んで有害物質を封じ込むための連続壁を構築するための方法および装置に関する。
【０００２】
【従来の技術】
例えば工場跡地等の地中に残留した金属洗浄液やその他の有害物質が滲出するのを防止するために、種々の技術が提案されている。その例として（１）その有害物質を回収し埋戻す、（２）全体を固結化する、（３）薬剤等により無害化する、等が知られている。しかしながら、これらの技術は比較的広い範囲に対して作業が面倒でありコストもかかるので有害物質が滲出しないようにまわりを囲んで封じ込む技術が開発されている。
【０００３】
その一例は図５に示されているように地面Ｇ中に残留する有害物質Ｚを囲む側壁Ｔおよび底壁Ｓを設けて、有害物質Ｚが側壁Ｔおよび底壁Ｓの外部に滲出しないようにしていた。
【０００４】
しかしながら、図５の例では、側壁Ｔを構築することは比較的に容易であるが、底壁Ｓを構築することは困難であり、特に底壁Ｓが広い場合に薬液が到達しなくなる。
【０００５】
そこで、本出願人は特願平９−１６３２５号において、図６に示すように、残留有害物質Ｚを挟んで、図面中の左右方向の両側の離れた位置Ａ、Ｂから、残留有害物質Ｚの下方に向けて、それぞれ斜め方向に且つ有害物質Ｚに触れない用に、その先端が、互いに交差する位置Ｃ、または、その先まで掘削孔Ｅを穿孔し、その穿孔作業（ボーリング作業）を紙面直角方向に所定間隔で施工し、その掘削孔（ボーリング孔）Ｅに先端にノズルを有するグラウト材注入パイプを挿入して相隣る掘削孔Ｅ間にグラウト材を噴射して引上げ、連続壁Ｆを形成する技術を提案した。
【０００６】
この提案自体は有効なものであるが、掘削孔Ｅに挿入したパイプＰのノズルの方向が適切でないと図６のＸ方向矢視図である図７で示す様に、ジェット流Ｊが隣接する掘削孔Ｅ、Ｅ間でずれてしまい、隣接する掘削孔Ｅ、Ｅ間に不連続な部分が出来てしまう。その結果、連続壁が構築されなくなり、有害物質Ｚは不連続部分より土壌中に拡散することとなり、不都合である。
【０００７】
【発明が解決しようとする課題】
本発明は上述した従来技術の問題点に鑑みて提案されたもので、その主目的は、地中に確実に連続する壁体を作ることができる地中壁の構築方法および装置の提供である。
【０００８】
本発明の他の目的は、上記の目的を達成するためにノズルからジェット流の噴射方向を検知することにある。
【０００９】
本発明のさらに別の目的は、隣接するグラウト材注入パイプのノズルからのジェット流が確実に交差し、もって連続壁を構築できる方法および装置を提供するにある。
【００１０】
【課題を解決するための手段】
本発明によれば、複数の掘削孔１を掘削してそれらの掘削孔１にグラウト材注入パイプ２を挿入し、そのグラウト材注入パイプ２に設けたノズルＮからグラウト材注入パイプ２の直角方向にグラウト材を噴射させながら、そのグラウト材注入パイプ２を引き上げて壁体を構築する地中壁の構築方法において、前記ノズルＮは隣接する掘削孔１の中心線を含む面に対して傾斜角θで傾斜しており、その傾斜角θをグラウト材注入パイプ２に設けたセンサ４で検知し、そのセンサ４の信号で隣接する掘削孔１のグラウト材注入パイプ２から噴射したジェット流Ｊが必ず交差するように傾斜角θを調節するようになっている。
【００１１】
さらに本発明によれば、前記掘削孔２が鉛直線に対して傾斜しており、有害物質を含有する土壌を囲んでいる。
【００１２】
そして、本発明によれば、複数の掘削孔１を掘削してそれらの掘削孔１にグラウト材注入パイプ２を挿入し、そのグラウト材注入パイプ２に設けたノズルＮからグラウト材注入パイプ２の直角方向にグラウト材を噴射させながら、そのグラウト材注入パイプ２を引き上げて壁体を構築する地中壁の構築装置において、前記ノズルＮは隣接する掘削孔１の中心線を含む面に対して傾斜角θで傾斜して設置され、そのグラウト材注入パイプ２は鉛直線に対して傾斜した掘削孔１に挿入され、そのグラウト材注入パイプ２の下部には前記傾斜角θを検知するノズルＮの方向センサ５と、前記鉛直線に対する傾斜を検知する傾きセンサ４とが設けられ、さらにそれらの各センサ４、５に電力を供給するバッテリ３と、それらの各センサ４、５からの信号を発信する発信器６とを備え、そして、地上にその発信器６からの信号を受信する受信器７を設けてある。
【００１３】
また本発明によれば、複数の掘削孔１を掘削してそれらの掘削孔１にグラウト材注入パイプ２を挿入し、そのグラウト材注入パイプ２に設けたノズルＮからグラウト材注入パイプ２の直角方向にグラウト材を噴射させながら、そのグラウト材注入パイプ２を引き上げて壁体を構築する地中壁の構築装置において、前記グラウト材を噴射するグラウト材注入パイプ２が内管２Ｂと外管２Ａとよりなり、その外管２Ａにグラウト材を噴射するノズルＮを設け、前記ノズルＮは隣接する掘削孔１の中心線を含む面に対して傾斜角θで傾斜して設置され、そのグラウト材注入パイプ２は鉛直線に対して傾斜した掘削孔１に挿入され、そのグラウト材注入パイプ２の下部には前記傾斜角θを検知するノズルＮの方向センサ５と、前記鉛直線に対する傾斜を検知する傾きセンサ４とが設けられ、その内管２Ｂには各センサ４、５からの信号線９が配線され、その信号線９は内管２Ｂの頂部からケーブル１０を介して地上のコンピュータＣに接続されている。
【００１４】
かつ、本発明によれば、 内管２Ｂを接続するための雌部分２Ｃと雄部分２Ｄとを備え、そして雌部分２Ｃと雄部分２Ｄとの係合部１９、２０が係合した位置に互いに接続される接続片１４、１６が設けられている。
【００１５】
したがって、本発明によれば、ノズルからの噴射の方向すなわちパイプの中心まわりの角度や中心線の傾きを知ることができる。中心線の傾きが不適なときはノズルの傾きを正しい方向に動かせばよく、方向はパイプを回動させることによって補正できる。このようにしてノズルからグラウト材の噴射方向を正しく向けることにより隣接するパイプからの噴射が必ず交差するようになるので確実な地下連続壁を構築できる。
【００１６】
【発明の実施の形態】
以下図面を参照して本発明の実施の形態について説明する。
図１は図７と同様に例えば図６のＸ方向の矢視図であり、複数の掘削孔１が傾斜して穿設されており、そしてそれらの掘削孔１にグラウト材注入パイプ２を挿入して、公知の態様によりグラウト材を噴射しながら引き上げることにより壁体を構築するようになっている。
【００１７】
そして、隣接する掘削孔１の中心線を含む面Ｑ（この例では傾斜面）に対してジェット流Ｊは角度θで噴射されている。したがって隣接するジェット流Ｊは必ず交差するので、連続壁が構築できる。
【００１８】
しかしながら、地中での作業のためノズルが正しくこの角度θを向いているか否かは従来解らなかったが、本発明では以下の通りに知ることができる。
【００１９】
図２は本発明を実施するグラウト材注入パイプ２が掘削孔に挿入された所が示されている。このグラウト材注入パイプ２は公知の態様で図示しない装置によってスイベルＳを介して回転可能に支持されている。このパイプ２には例えば図１のように設けられた一対のノズルＮが設けられ、ジェット流Ｊを噴射するようになっている。そしてパイプ２の下部にはバッテリ３とノズルＮの傾きセンサ４とノズルＮの方向センサ５と発信器６とが設けられている。また、地面Ｇ上には受信器７が設けられている。この発信器６は方向センサ５および傾きセンサ４からの信号を受信器７に発信するものであり、バッテリ３はその電源である。
【００２０】
したがって、傾きセンサ４からの信号が適正でないときは掘削孔Ｅが適正でないことが解り、ノズルＮの方向を変えればよい。また方向センサ５が適正でないときはパイプ２をその中心線まわりに回転させて適正にすればよい。
【００２１】
このようにしてジェット流Ｊの向きが適正となるので、隣接する掘削孔Ｅ間において、グラウト材は必ず交差した状態に噴射され、連続壁が構築される。それ故に有害物質等を完全に封じ込めることができる。
【００２２】
なお、本発明の実施に際して傾きセンサ４や方向センサ５は任意適宜の公知のものを実施することができるが電磁式、磁力式又はジャイロ式のものが好ましい。
【００２３】
図３、図４は有線方式による実施例を示している。図においてグラウト材注入パイプ２はスイベルＳ１で回転可能に支持された外管２ＡとスイベルＳ２で回転可能に支持された内管２Ｂとよりなり、外管２Ａにはグラウト材のジェット流Ｊを生ずるノズルＮが設けられている。そして外管２Ａの下部には、ノズルＮの傾きセンサ４とノズルＮの方向センサ５とが設けられ、それらのセンサ４、５からの信号線はコネクタ８を介してケーブル９に接続されている。このケーブル９は後述の毎く内管２Ｂによって電源および信号用のケーブル１０に接続され、コンピュータＣに表示されるようになっている。
【００２４】
掘削孔Ｅの深さが深い場合、外管２Ｂは公知の態様で接続することができる。しかしながら、内管２Ｂは信号線を接続する必要がある。その一例が図４に示されている。上下に内管２Ｂを連続するに際し、一方の内管２Ｂの雌部分２Ｃが他方の内管２Ｂの雄部分２Ｄと嵌着するようにっている。雌部分２Ｃの小径部分１１の内側に設けられた信号ライン１２は雌部分２Ｃの大径部分１３の内側に設けた第１の接続片１４に接続されている。
【００２５】
そして雄部分２Ｄの嵌合部分１５の外側に設けた第２の接続片１６は雄部分２Ｄの信号ライン１８に接続され、この信号ライン１８は嵌合部分１５の外側から大径部分１７の内側に配置されている。そして雌部分２Ｃの大径部分１３と雄部分２Ｄの大径部分１７とによりそれぞれ互いに係合する第１および第２の係合部１９、２０がそれぞれ設けられている。
【００２６】
したがって、雄部分２Ｄの小径部分１５を雌部分２Ｃの大径部分１３の側に挿入して第１および第２の係合部１９、２０を互いに係合させれば、第１の接続片１４と第２の接続片１６とは互いに接続される。このようにして、ケーブル１０をケーブル９に接続することができる。この例でも使用効果は図２の実施例と同様である。
【００２７】
また本発明は有害物質の封じ込めのみならず、通常の垂直な連続壁にも実施できることは明らかである。
【００２８】
【発明の効果】
以上の通り本発明によれば、ノズルの噴射方向を正しく認識することができ、その結果に基づいてノズルの噴射方向を正しく調整することができる。これにより、隣接するパイプからのジェット流が確実に交差する様になり、その結果、確実な連続壁を得ることができる。
【図面の簡単な説明】
【図１】本発明により構築する地中壁の説明図。
【図２】本発明を実施する装置を示す側面図。
【図３】本発明を実施する別の装置を示す側面図。
【図４】図３の例の内管の接続部分を示す説明図。
【図５】従来技術を示す説明図。
【図６】従来のその他の技術であって、本発明の実施形態と共通する部分を有する技術の説明図。
【図７】従来技術による不都合を説明するための図。
【符号の説明】
２・・・グラウト材注入用パイプ
２Ａ・・・外管
２Ｂ・・・内管
２Ｃ・・・雌部分
２Ｄ・・・雄部分
３・・・バッテリ
４・・・傾きセンサ
５・・・方向センサ
６・・・発信器
７・・・受信器
８・・・コネクタ
９、１０・・・ケーブル
Ｃ・・・コンピュータ
【図１】
0003852879.tif 000002
【図２】
0003852879.tif 000003
【図３】
0003852879.tif 000004
【図４】
0003852879.tif 000005
【図５】
0003852879.tif 000006
【図６】
0003852879.tif 000007
【図７】
0003852879.tif 000008